(57)【要約】【課題】第１の本体部に対する第２の本体部の回転が終了した後に第１の本体部がユーザに対して回転させられることを防止することが可能な電子機器を提供すること。【解決手段】電子機器１００は、第１の本体部１と、第１の本体部１に対して回転可能となるように第１の本体部１に連結された第２の本体部２と、を備える。電子機器１００は、第１の本体部１に対して第２の本体部２を回転軸回りに回転させるように当該第２の本体部２を付勢する。電子機器１００は、ロック解除用ボタン４を備える。電子機器１００は、ロック解除用ボタン４が押し込まれた場合に第１の本体部１及び第２の本体部２の相対回転を禁止する禁止状態から、当該相対回転を許容する許容状態へ状態が切り替わるように構成される。携帯電話装置１００は、回転方向ＲＤへ第１の本体部１がユーザに対して回転させられることを抑制する回転抑制部を含む。【選択図】図１
2010074822.tif 000002
【特許請求の範囲】
【請求項１】
第１の本体部と、
前記第１の本体部に対して所定の回転軸回りに回転可能となるように当該第１の本体部に連結された第２の本体部と、
前記第１の本体部に対して前記第２の本体部を前記回転軸回りに回転させるように当該第２の本体部を付勢する回転付勢手段と、
前記回転軸に沿った方向に押し込み可能に構成され、且つ、前記第１の本体部に対して相対回転不能に構成されたロック解除用ボタンと、
前記ロック解除用ボタンが押し込まれた場合に前記回転付勢手段による前記第１の本体部及び前記第２の本体部の相対回転を禁止する禁止状態から、当該相対回転を許容する許容状態へ状態が切り替わるように構成されたロック機構と、
前記付勢手段によって前記第２の本体部が回転させられる回転方向へ前記第１の本体部がユーザに対して回転させられることを抑制する回転抑制手段と、
を備える電子機器。
【請求項２】
請求項１に記載の電子機器であって、
前記回転抑制手段は、前記ロック解除用ボタンの表面のうちの当該ロック解除用ボタンを押し込むために前記ユーザにより押圧される部分である押圧部分を構成する第１の回転抑制部を含む電子機器。
【請求項３】
請求項１又は請求項２に記載の電子機器であって、
前記回転抑制手段は、前記電子機器の側面のうちの前記ロック解除用ボタンが配置された面と反対側の面に配置され、且つ、前記ユーザが当該ロック解除用ボタンを押し込む際に当該ユーザにより押圧される部分である押圧部分を構成する第２の回転抑制部を含む電子機器。
【請求項４】
請求項１乃至請求項３のいずれか一項に記載の電子機器であって、
前記回転抑制手段は、前記押圧部分が凹凸を有するように形成された電子機器。
【請求項５】
請求項４に記載の電子機器であって、
前記回転抑制手段は、前記凹凸が放射状に形成されてなる電子機器。
【請求項６】
請求項１乃至請求項５のいずれか一項に記載の電子機器であって、
前記回転抑制手段は、前記電子機器の側面を構成する材料よりも高い摩擦係数を有する材料により構成された電子機器。
【請求項７】
請求項６に記載の電子機器であって、
前記本体部分を構成する材料は、金属又はプラスチックであり、
前記回転抑制手段を構成する材料は、ゴム又はシリコンラバーである電子機器。
【請求項８】
請求項１乃至請求項７のいずれか一項に記載の電子機器であって、
前記ロック解除用ボタンが押し込まれた状態において、当該ロック解除用ボタンが押し込まれる方向と逆方向に当該ロック解除用ボタンを付勢するボタン付勢手段を備える電子機器。
【請求項９】
請求項１乃至請求項８のいずれか一項に記載の電子機器であって、
前記回転抑制手段は、前記ユーザにより前記ロック解除用ボタンが押し込まれている状態において、当該ユーザのうちの、前記付勢手段によって前記第２の本体部が回転させられる回転方向と逆方向側の部分と当接するように構成された電子機器。
【請求項１０】
請求項３乃至請求項９のいずれか一項に記載の電子機器であって、
前記第２の回転抑制部は、前記回転軸に沿った方向と直交する面内における位置が前記ロック解除用ボタンと同一の位置となるように配置された電子機器。
【請求項１１】
請求項３乃至請求項９のいずれか一項に記載の電子機器であって、
前記第２の回転抑制部は、前記回転軸に沿った方向と直交する面内における位置が前記ロック解除用ボタンと異なる位置となるように配置された電子機器。
【請求項１２】
請求項１乃至請求項１１のいずれか一項に記載の電子機器であって、
前記第１の本体部は、前記ユーザが情報を入力するための操作キーを備え、
前記第２の本体部は、情報を表示するためのディスプレイを備える電子機器。
【請求項１３】
請求項１乃至請求項１２のいずれか一項に記載の電子機器であって、
前記電子機器は、携帯電話装置である電子機器。
【請求項１４】
第１の本体部と、
前記第１の本体部に対して所定の回転軸回りに回転可能となるように当該第１の本体部に連結された第２の本体部と、
前記第１の本体部に対して前記第２の本体部を前記回転軸回りに回転させるように当該第２の本体部を付勢する回転付勢手段と、
前記回転軸に沿った方向に押し込み可能に構成され、且つ、前記第１の本体部に対して相対回転不能に構成されたロック解除用ボタンと、
前記ロック解除用ボタンが押し込まれた場合に前記回転付勢手段による前記第１の本体部及び前記第２の本体部の相対回転を禁止する禁止状態から、当該相対回転を許容する許容状態へ状態が切り替わるように構成されたロック機構と、
前記付勢手段によって前記第２の本体部が回転させられる回転方向へ前記第１の本体部がユーザに対して回転させられることを抑制する回転抑制手段と、
を備える電子機器に適用され、
前記ロック解除用ボタンが前記ユーザにより押し込まれることにより、前記ロック機構の状態を前記禁止状態から前記許容状態へ切り替え、
前記付勢手段により付勢されることによって前記第２の本体部が前記第１の本体部に対して回転し、
前記回転抑制手段が、前記第１の本体部が前記ユーザに対して回転することを抑制する、電子機器の動作方法。
【請求項１５】
請求項１４に記載の電子機器の動作方法であって、
前記回転抑制手段は、前記ロック解除用ボタンの表面のうちの当該ロック解除用ボタンを押し込むために前記ユーザにより押圧される部分である押圧部分を構成する第１の回転抑制部を含む電子機器の動作方法。
【請求項１６】
請求項１４又は請求項１５に記載の電子機器の動作方法であって、
前記回転抑制手段は、前記電子機器の側面のうちの前記ロック解除用ボタンが配置された面と反対側の面に配置され、且つ、前記ユーザが当該ロック解除用ボタンを押し込む際に当該ユーザにより押圧される部分である押圧部分を構成する第２の回転抑制部を含む電子機器の動作方法。
【発明の詳細な説明】
【技術分野】
【０００１】
本発明は、第１の本体部と第２の本体部とが相対回転可能に構成された電子機器に関する。
【背景技術】
【０００２】
折り畳み式の電子機器（例えば、携帯電話装置）が知られている。この電子機器は、平板状の第１の本体部及び第２の本体部を備える。第２の本体部は、第１の本体部に対して所定の回転軸回りに回転可能となるように第１の本体部に連結されている。
【０００３】
更に、この種の電子機器の一つとして特許文献１に記載の携帯電話装置は、第１の本体部に対して第２の本体部を回転軸回りに回転させるように第２の本体部を付勢するバネを備える。加えて、この携帯電話装置は、回転軸に沿った方向に押し込み可能に構成されたロック解除用ボタンを備える。更に、この携帯電話装置は、ロック解除用ボタンが押し込まれた場合に第１の本体部及び第２の本体部の相対回転を禁止する禁止状態から、当該相対回転を許容する許容状態へ状態が切り替わるように構成されたロック機構を備える。
【０００４】
上記携帯電話装置によれば、ユーザは、一方の手で第１の本体部を保持しながら、例えば、その手の親指で上記ロック解除用ボタンを押し込むことにより、第２の本体部を第１の本体部に対して回転させることができる。即ち、ユーザは片手のみを用いて、携帯電話装置の状態を、折り畳まれた状態から展開された状態（展開状態）へ変化させることができる。
【先行技術文献】
【特許文献】
【０００５】
【特許文献１】特開２００６−３２４９２７号公報
【発明の概要】
【発明が解決しようとする課題】
【０００６】
ところで、上記バネによって付勢されることにより第２の本体部が第１の本体部に対して回転し、その結果、第２の本体部が携帯電話装置の状態を展開状態とする位置まで到達すると、第１の本体部に対する第２の本体部の回転は終了する。この反動によって、第１の本体部に対して第２の本体部が回転していた回転方向へ第１の本体部を回転させようとする力が発生する。
【０００７】
また、ユーザがロック解除用ボタンを押し込む際に、ユーザ（例えば、ユーザの指）と接する電子機器の接触部分（例えば、ロック解除用ボタンのうちのユーザにより押圧される部分、及び、電子機器の側面のうちのロック解除用ボタンが配置された面と反対側の面等）が比較的滑らかに形成されている場合、その接触部分とユーザとの間に発生する摩擦力は小さい。
【０００８】
従って、この場合において、第１の本体部を回転方向へ回転させようとする力が発生したとき、上記接触部分は、ユーザに対して上記回転方向に回転しやすい。即ち、上記携帯電話装置によれば、第１の本体部に対する第２の本体部の回転が終了した後に第１の本体部がユーザに対して回転方向へ回転させられてしまうという問題があった。
【０００９】
このため、本発明の目的は、上述した課題である「第１の本体部に対する第２の本体部の回転が終了した後に第１の本体部がユーザに対して回転方向へ回転させられてしまうこと」を解決することが可能な電子機器を提供することにある。
【課題を解決するための手段】
【００１０】
かかる目的を達成するため本発明の一形態である電子機器は、
第１の本体部と、
上記第１の本体部に対して所定の回転軸回りに回転可能となるように当該第１の本体部に連結された第２の本体部と、
上記第１の本体部に対して上記第２の本体部を上記回転軸回りに回転させるように当該第２の本体部を付勢する回転付勢手段と、
上記回転軸に沿った方向に押し込み可能に構成され、且つ、上記第１の本体部に対して相対回転不能に構成されたロック解除用ボタンと、
上記ロック解除用ボタンが押し込まれた場合に上記回転付勢手段による上記第１の本体部及び上記第２の本体部の相対回転を禁止する禁止状態から、当該相対回転を許容する許容状態へ状態が切り替わるように構成されたロック機構と、
上記付勢手段によって上記第２の本体部が回転させられる回転方向へ上記第１の本体部がユーザに対して回転させられることを抑制する回転抑制手段と、
を備える。
【００１１】
また、本発明の他の形態である電子機器の動作方法は、
第１の本体部と、
上記第１の本体部に対して所定の回転軸回りに回転可能となるように当該第１の本体部に連結された第２の本体部と、
上記第１の本体部に対して上記第２の本体部を上記回転軸回りに回転させるように当該第２の本体部を付勢する回転付勢手段と、
上記回転軸に沿った方向に押し込み可能に構成され、且つ、上記第１の本体部に対して相対回転不能に構成されたロック解除用ボタンと、
上記ロック解除用ボタンが押し込まれた場合に上記回転付勢手段による上記第１の本体部及び上記第２の本体部の相対回転を禁止する禁止状態から、当該相対回転を許容する許容状態へ状態が切り替わるように構成されたロック機構と、
上記付勢手段によって上記第２の本体部が回転させられる回転方向へ上記第１の本体部がユーザに対して回転させられることを抑制する回転抑制手段と、
を備える電子機器に適用され、
上記ロック解除用ボタンが上記ユーザにより押し込まれることにより、上記ロック機構の状態を上記禁止状態から上記許容状態へ切り替え、
上記付勢手段により付勢されることによって上記第２の本体部が上記第１の本体部に対して回転し、
上記回転抑制手段が、上記第１の本体部が上記ユーザに対して回転することを抑制する、方法である。
【発明の効果】
【００１２】
本発明は、以上のように構成されることにより、第１の本体部に対する第２の本体部の回転が終了した後に第１の本体部がユーザに対して回転させられることを防止することができる。
【図面の簡単な説明】
【００１３】
【図１】本発明の第１実施形態に係る携帯電話装置の概略構成を表す図である。
【図２】図１に示したロック解除用ボタンを拡大した分解斜視図である。
【図３】図１に示したロック解除用ボタンの側面図である。
【図４】第１実施形態の変形例に係るロック解除用ボタンの側面図である。
【図５】第１実施形態の変形例に係るロック解除用ボタンの側面図である。
【図６】第１実施形態の変形例に係るロック解除用ボタンの正面図及び側面図である。
【図７】本発明の第２実施形態に係る携帯電話装置の側面図である。
【図８】本発明の第２実施形態に係る携帯電話装置の前面図である。
【図９】本発明の第２実施形態の変形例に係る携帯電話装置の前面図である。
【図１０】本発明の第３実施形態に係る携帯電話装置の側面図である。
【図１１】図１０に示したシート部を拡大した斜視図及び側面図である。
【図１２】本発明の第３実施形態の変形例に係る携帯電話装置の側面図である。
【図１３】本発明の第４実施形態に係る携帯電話装置の側面図である。
【図１４】本発明の第４実施形態に係る携帯電話装置の前面図である。
【発明を実施するための形態】
【００１４】
本発明の一形態である電子機器は、
第１の本体部と、
上記第１の本体部に対して所定の回転軸回りに回転可能となるように当該第１の本体部に連結された第２の本体部と、
上記第１の本体部に対して上記第２の本体部を上記回転軸回りに回転させるように当該第２の本体部を付勢する回転付勢手段と、
上記回転軸に沿った方向に押し込み可能に構成され、且つ、上記第１の本体部に対して相対回転不能に構成されたロック解除用ボタンと、
上記ロック解除用ボタンが押し込まれた場合に上記回転付勢手段による上記第１の本体部及び上記第２の本体部の相対回転を禁止する禁止状態から、当該相対回転を許容する許容状態へ状態が切り替わるように構成されたロック機構と、
上記付勢手段によって上記第２の本体部が回転させられる回転方向へ上記第１の本体部がユーザに対して回転させられることを抑制する回転抑制手段と、
を備える。
【００１５】
これによれば、電子機器は、第１の本体部がユーザに対して回転方向へ回転させられることを抑制する。従って、第１の本体部に対する第２の本体部の回転が終了した後に、第１の本体部がユーザに対して回転方向へ回転させられることを防止することができる。
【００１６】
この場合、上記回転抑制手段は、上記ロック解除用ボタンの表面のうちの当該ロック解除用ボタンを押し込むために上記ユーザにより押圧される部分である押圧部分を構成する第１の回転抑制部を含むことが好適である。
【００１７】
上記電子機器においては、ユーザがロック解除用ボタンを押し込むことにより、第２の本体部が回転方向へ回転させられる。従って、第１の本体部を回転方向へ回転させようとする力が働く時には、ユーザが上記押圧部分と接触している可能性が高い。従って、上記構成のように、押圧部分が第１の回転抑制部によって構成されることにより、第１の本体部がユーザに対して回転方向へ回転させられることをより確実に防止することができる。
【００１８】
この場合、上記回転抑制手段は、上記電子機器の側面のうちの上記ロック解除用ボタンが配置された面と反対側の面に配置され、且つ、上記ユーザが当該ロック解除用ボタンを押し込む際に当該ユーザにより押圧される部分である押圧部分を構成する第２の回転抑制部を含むことが好適である。
【００１９】
上記電子機器においては、ユーザがロック解除用ボタンを押し込むことにより、第２の本体部が回転方向へ回転させられる。従って、第１の本体部を回転方向へ回転させようとする力が働く時には、ユーザが上記押圧部分と接触している可能性が高い。従って、上記構成のように、押圧部分が第２の回転抑制部によって構成されることにより、第１の本体部がユーザに対して回転方向へ回転させられることをより確実に防止することができる。
【００２０】
この場合、上記回転抑制手段は、上記押圧部分が凹凸を有するように形成されることが好適である。
【００２１】
これによれば、ユーザと押圧部分との間に、押圧部分が滑らかに形成されている場合よりも大きな摩擦力を発生させることができる。この結果、ユーザと押圧部分とが相対回転することを防止することができるので、第１の本体部がユーザに対して回転方向へ回転させられることを防止することができる。
【００２２】
この場合、上記回転抑制手段は、上記凹凸が放射状に形成されてなることが好適である。
【００２３】
これによれば、ユーザと押圧部分との間に発生する摩擦力のうちの、ユーザと押圧部分とが相対回転することを抑制するための摩擦力を、凹凸が格子状に形成されている場合、又は、凹凸がランダムに形成されている場合よりも大きくすることができる。従って、第１の本体部がユーザに対して回転方向へ回転させられることをより一層確実に防止することができる。
【００２４】
この場合、上記回転抑制手段は、上記電子機器の側面を構成する材料よりも高い摩擦係数を有する材料により構成されることが好適である。
【００２５】
これによれば、ユーザと押圧部分との間に、押圧部分が電子機器の側面と同じ材料から構成されている場合よりも大きな摩擦力を発生させることができる。この結果、ユーザと押圧部分とが相対回転することを防止することができるので、第１の本体部がユーザに対して回転方向へ回転させられることを防止することができる。
【００２６】
この場合、上記本体部分を構成する材料は、金属又はプラスチックであり、
上記回転抑制手段を構成する材料は、ゴム又はシリコンラバーであることが好適である。
【００２７】
この場合、上記電子機器は、
上記ロック解除用ボタンが押し込まれた状態において、当該ロック解除用ボタンが押し込まれる方向と逆方向に当該ロック解除用ボタンを付勢するボタン付勢手段を備えることが好適である。
【００２８】
これによれば、ロック解除用ボタンが押し込まれた状態において、ユーザと押圧部分との間に、ロック解除用ボタンを付勢しない場合よりも大きな摩擦力を発生させることができる。この結果、ユーザと押圧部分とが相対回転することをより一層確実に防止することができるので、第１の本体部がユーザに対して回転方向へ回転させられることをより一層確実に防止することができる。
【００２９】
この場合、上記回転抑制手段は、上記ユーザにより上記ロック解除用ボタンが押し込まれている状態において、当該ユーザのうちの、上記付勢手段によって上記第２の本体部が回転させられる回転方向と逆方向側の部分と当接するように構成されることが好適である。
【００３０】
これによれば、ユーザがロック解除用ボタンを押し込んだ場合に、回転抑制手段は、ユーザのうちの回転方向と逆方向側の部分と当接する。これにより、第１の本体部がユーザに対して回転方向へ回転させられることを防止することができる。
【００３１】
この場合、上記第２の回転抑制部は、上記回転軸に沿った方向と直交する面内における位置が上記ロック解除用ボタンと同一の位置となるように配置されることが好適である。
【００３２】
ところで、ユーザがロック解除用ボタンを押し込む際、電子機器の側面のうちのロック解除用ボタンが配置された面と反対側の面内の部分であって、ロック解除用ボタンを押し込む方向（回転軸に沿った方向）と直交する面内における位置がロック解除用ボタンと同一の部分（同位置部分）をユーザが押圧した場合、ユーザがロック解除用ボタンを押し込むために要する力が最小となる。
【００３３】
従って、第１の本体部を回転方向へ回転させようとする力が働く時には、ユーザが上記同位置部分と接触している可能性が高い。そこで、上記のように電子機器を構成することにより、第１の本体部がユーザに対して回転方向へ回転させられることをより確実に防止することができる。
【００３４】
また、上記電子機器の他の態様において、
上記第２の回転抑制部は、上記回転軸に沿った方向と直交する面内における位置が上記ロック解除用ボタンと異なる位置となるように配置されることが好適である。
【００３５】
ところで、ユーザがロック解除用ボタンを押し込みやすいように電子機器を保持した場合に、電子機器の側面のうちのロック解除用ボタンが配置された面と反対側の面内の部分であって、ロック解除用ボタンを押し込む方向（回転軸に沿った方向）と直交する面内における位置がロック解除用ボタンと異なる部分（異位置部分）とユーザとが接触する可能性が比較的高い。
【００３６】
従って、第１の本体部を回転方向へ回転させようとする力が働く時には、ユーザが上記異位置部分と接触している可能性が高い。そこで、上記のように電子機器を構成することにより、第１の本体部がユーザに対して回転方向へ回転させられることをより確実に防止することができる。
【００３７】
この場合、上記第１の本体部は、上記ユーザが情報を入力するための操作キーを備え、
上記第２の本体部は、情報を表示するためのディスプレイを備えることが好適である。
【００３８】
この場合、上記電子機器は、携帯電話装置であることが好適である。
【００３９】
また、本発明の他の形態である電子機器の動作方法は、
第１の本体部と、
上記第１の本体部に対して所定の回転軸回りに回転可能となるように当該第１の本体部に連結された第２の本体部と、
上記第１の本体部に対して上記第２の本体部を上記回転軸回りに回転させるように当該第２の本体部を付勢する回転付勢手段と、
上記回転軸に沿った方向に押し込み可能に構成され、且つ、上記第１の本体部に対して相対回転不能に構成されたロック解除用ボタンと、
上記ロック解除用ボタンが押し込まれた場合に上記回転付勢手段による上記第１の本体部及び上記第２の本体部の相対回転を禁止する禁止状態から、当該相対回転を許容する許容状態へ状態が切り替わるように構成されたロック機構と、
上記付勢手段によって上記第２の本体部が回転させられる回転方向へ上記第１の本体部がユーザに対して回転させられることを抑制する回転抑制手段と、
を備える電子機器に適用され、
上記ロック解除用ボタンが上記ユーザにより押し込まれることにより、上記ロック機構の状態を上記禁止状態から上記許容状態へ切り替え、
上記付勢手段により付勢されることによって上記第２の本体部が上記第１の本体部に対して回転し、
上記回転抑制手段が、上記第１の本体部が上記ユーザに対して回転することを抑制する方法である。
【００４０】
この場合、上記回転抑制手段は、上記ロック解除用ボタンの表面のうちの当該ロック解除用ボタンを押し込むために上記ユーザにより押圧される部分である押圧部分を構成する第１の回転抑制部を含むことが好適である。
【００４１】
この場合、上記回転抑制手段は、上記電子機器の側面のうちの上記ロック解除用ボタンが配置された面と反対側の面に配置され、且つ、上記ユーザが当該ロック解除用ボタンを押し込む際に当該ユーザにより押圧される部分である押圧部分を構成する第２の回転抑制部を含むことが好適である。
【００４２】
上述した構成を有する電子機器の動作方法の発明であっても、上記電子機器と同様の作用を有するために、上述した本発明の目的を達成することができる。
【００４３】
以下、本発明に係る、電子機器、及び、電子機器の動作方法、の各実施形態について図１〜図１４を参照しながら説明する。
【００４４】
＜第１実施形態＞
図１に示したように、第１実施形態に係る電子機器としての携帯電話装置１００は、折り畳み式の携帯電話装置である。携帯電話装置１００は、第１の本体部１と、第２の本体部２と、ヒンジ部３と、を備える。以下、Ｘ軸、Ｙ軸及びＺ軸からなる右手系の直交座標系を用いて説明を続ける。
【００４５】
図１の（Ａ）に示したように、第１の本体部１及び第２の本体部２のそれぞれは、平板状に形成されている。第１の本体部１及び第２の本体部２のそれぞれは、Ｚ軸方向に延びる短辺と、Ｘ軸方向に延びる長辺と、を有する長方形状に形成されている。第１の本体部１及び第２の本体部２は、それぞれの短辺が互いに連接するように、ヒンジ部３を介して連結されている。
【００４６】
また、第１の本体部１には、ユーザが情報を入力するための図示しない操作キー（ボタン式スイッチ）が複数配設されている。更に、第２の本体部２には、情報を表示するための図示しないディスプレイが配設されている。
【００４７】
ヒンジ部３は、第２の本体部２を第１の本体部１に対して回転（揺動）可能とするように第１の本体部１及び第２の本体部２を連結している。第２の本体部２が第１の本体部１に対して回転する際の回転軸は、ヒンジ部３内のＺ軸方向に延びる軸である。
【００４８】
ヒンジ部３は、第１の本体部１と第２の本体部２とがなす角度（回転角度）が、第１の角度（本例では、０°）から第２の角度（第１の角度よりも大きい角度、本例では、１６０°）までの角度となる範囲にて、回転角度が増加する方向、及び、回転角度が減少する方向、のいずれの方向においても、第１の本体部１及び第２の本体部２を相対回転可能とするように構成されている。
【００４９】
図１の（Ａ）は、回転角度が第１の角度である場合における携帯電話装置１００の状態を示している。即ち、この状態は、携帯電話装置１００が折り畳まれた状態（第１の本体部１と第２の本体部２とが重なり合う状態）である。また、図１の（Ｂ）は、回転角度が第２の角度である場合における携帯電話装置１００の状態を示している。即ち、この状態は、携帯電話装置１００が展開された状態（展開状態）である。
【００５０】
更に、ヒンジ部３には、図２に示したように、ボタン用孔３１が形成されている。ボタン用孔３１は、Ｚ軸正方向側の壁面に開口し且つＺ軸方向に延びる中心軸を有する円柱状の孔である。ボタン用孔３１を形成する内壁面には、Ｚ軸方向に延びる直方体状の溝３２が形成されている。
また、ヒンジ部３は、第１の本体部１に対して相対回転不能に構成されている。
【００５１】
なお、第１の本体部１、第２の本体部２及びヒンジ部３のそれぞれの、Ｚ軸方向における端面は、携帯電話装置１００の側面を構成している。
【００５２】
加えて、携帯電話装置１００は、図示しない回転付勢機構（回転付勢手段）及びロック機構を備えている。回転付勢機構及びロック機構の詳細については、特開平８−１３９７９３号公報、特開平１１−４１３２８号公報、特開２００２−３３５３１６号公報及び特開２００６−３２４９２７号公報等に開示されている。従って、本明細書においては、回転付勢機構及びロック機構の機能の概要のみを説明する。
【００５３】
回転付勢機構は、一端が第１の本体部１に係止され且つ他端が第２の本体部２に係止されたバネを含む。回転付勢機構は、このバネの弾性力によって、第１の本体部１に対して第２の本体部２を回転軸回りに回転させるように第２の本体部２を付勢する。
【００５４】
また、ロック機構は、回転付勢機構による第１の本体部１及び第２の本体部２の相対回転を禁止する禁止状態と、当該相対回転を許容する許容状態と、に状態が切り替わるように構成されている。更に、ロック機構は、後述するロック解除用ボタン４が押し込まれた場合に、禁止状態から許容状態へ状態が切り替わるように構成されている。
【００５５】
更に、携帯電話装置１００は、ロック解除用ボタン４を備えている。ロック解除用ボタン４は、図２及び図３に示したように、Ｚ軸方向に延びる中心軸を有する円柱状の部材である。ロック解除用ボタン４の側面と、ボタン用孔３１を形成する内壁面と、は同径である。ロック解除用ボタン４は、Ｚ軸負方向側の部分を構成する本体部分４１と、Ｚ軸正方向側の部分を構成する押圧部分（第１の回転抑制部、回転抑制手段）４２と、からなる。
【００５６】
押圧部分４２は、携帯電話装置１００の側面を構成する材料よりも高い摩擦係数を有する材料により構成されている。本例では、携帯電話装置１００の側面を構成する材料は、プラスチックである。例えば、プラスチックは、アクリル樹脂、ポリカーボネート、アクリロニトリル・ブタジエン・スチレン、ポリスチレン、及び／又は、これらのポリマーアロイを主成分とする材料である。また、押圧部分４２を構成する材料は、ゴム、又は、シリコンラバーである。なお、本体部分４１を構成する材料は、金属であってもよい。
【００５７】
本体部分４１の側面には、Ｚ軸方向に延びる直方体状の突起部４１ａが形成されている。突起部４１ａをＺ軸に直交する平面により切断した断面と、溝３２を形成する壁面をＺ軸に直交する平面により切断した断面と、は同じ形状を有している。ロック解除用ボタン４は、突起部４１ａが溝３２に収容されるように、ボタン用孔３１に収容される。このような構成により、ロック解除用ボタン４は、ヒンジ部３に対してＺ軸方向に摺動可能となるとともに、ロック解除用ボタン４はヒンジ部３に対して相対回転不能となる。
【００５８】
即ち、ロック解除用ボタン４は、回転軸に沿った方向に押し込み可能に構成され、且つ、第１の本体部１に対して相対回転不能に構成されている、と言うことができる。
また、押圧部分４２は、ロック解除用ボタン４の表面のうちのロック解除用ボタン４を押し込むためにユーザにより押圧される部分である、と言うことができる。
【００５９】
更に、押圧部分４２のＺ軸正方向側の表面には、凹凸が形成されている。この凹凸は、正面視（Ｚ軸負方向へ向かって押圧部分４２を見た場合）において、ロック解除用ボタン４の中心軸を中心として放射状に形成されている。即ち、押圧部分４２のＺ軸正方向側の表面のうちの最もＺ軸正方向側に位置している部分（凹凸の頂部）、及び、当該表面のうちの最もＺ軸負方向側に位置している部分（凹凸の底部）のそれぞれは、中心軸から外径方向へ延び、且つ、中心角が一定となるように（周方向にて等間隔に）配置されている。
【００６０】
加えて、押圧部分４２のＺ軸正方向側の表面に形成された凹凸は、図３に示したように、ロック解除用ボタン４の中心軸へ（内径方向へ）向かって押圧部分４２を見た場合において、三角形状を有している。この三角形の内角のうちの、最もＺ軸負方向側に位置する辺の両端の角度を比較した場合、Ｚ軸負方向へ向かって押圧部分４２を見た場合における周方向のうちの時計方向側の角度の方が大きい。
【００６１】
このような構成により、押圧部分４２は、回転付勢機構によって第２の本体部２が回転させられる回転方向へ第１の本体部１がユーザに対して回転させられることを抑制することができる。
【００６２】
更に、携帯電話装置１００は、図示しないボタン付勢機構（ボタン付勢手段）を備えている。ボタン付勢機構の詳細については、特開２００２−３３５３１６号公報等に開示されている。従って、本明細書においては、ボタン付勢機構の機能の概要のみを説明する。
【００６３】
ボタン付勢機構は、バネを含む。ボタン付勢機構は、バネの弾性力により、ロック解除用ボタン４が押し込まれた状態において、ロック解除用ボタン４が押し込まれる方向（Ｚ軸負方向）と逆方向（Ｚ軸正方向）にロック解除用ボタン４を付勢するように構成されている。
【００６４】
次に、上記のように構成された携帯電話装置１００の作動について説明する。
ここで、携帯電話装置１００の状態が、図１の（Ａ）に示したように、携帯電話装置１００が折り畳まれた状態となっている場合を想定して説明する。
【００６５】
この状態においては、ロック機構の状態は、禁止状態に設定されている。従って、回転付勢機構によって第２の本体部２が回転させられることはない。
この状態において、携帯電話装置１００の状態を展開状態とすることを希望するユーザは、ロック解除用ボタン４をＺ軸負方向へ押し込む。
【００６６】
これにより、ロック機構の状態は、禁止状態から許容状態へ切り替わる（ロック解除工程）。従って、回転付勢機構により付勢されることによって、第２の本体部２は、第１の本体部１に対して回転角度が増加する方向（回転方向）ＲＤへ回転する（回転工程）。
【００６７】
その結果、第２の本体部２が携帯電話装置１００の状態を展開状態とする位置まで到達すると、第１の本体部１に対する第２の本体部２の回転は終了する。この反動によって、第１の本体部１に対して第２の本体部２が回転していた回転方向ＲＤへ第１の本体部１を回転させようとする力が発生する。
【００６８】
このとき、押圧部分４２とユーザとの間に十分に大きい摩擦力が発生する。即ち、押圧部分４２は、第１の本体部１がユーザに対して回転方向ＲＤへ回転させられることを抑制する（回転抑制工程）。従って、上記構成によれば、第１の本体部１に対する第２の本体部２の回転が終了した後に、第１の本体部１がユーザに対して回転方向へ回転させられることを防止することができる。
【００６９】
以上、説明したように、本発明による携帯電話装置の第１実施形態によれば、第１の回転抑制部としての押圧部分４２は、第１の本体部１がユーザに対して回転方向へ回転させられることを抑制する。従って、第１の本体部１に対する第２の本体部２の回転が終了した後に、第１の本体部１がユーザに対して回転方向へ回転させられることを防止することができる。
【００７０】
更に、上記第１実施形態においては、ユーザがロック解除用ボタン４を押し込むことにより、第２の本体部２が回転方向へ回転させられる。従って、第１の本体部１を回転方向へ回転させようとする力が働く時には、ユーザが押圧部分４２と接触している可能性が高い。従って、上記構成のように、第１の本体部１がユーザに対して回転方向へ回転させられることを押圧部分４２が抑制することにより、第１の本体部１がユーザに対して回転方向へ回転させられることをより確実に防止することができる。
【００７１】
更に、上記第１実施形態は、押圧部分４２が凹凸を有するように構成されている。これによれば、ユーザと押圧部分４２との間に、押圧部分４２が滑らかに（平滑に）形成されている場合よりも大きな摩擦力を発生させることができる。この結果、ユーザと押圧部分４２とが相対回転することを防止することができるので、第１の本体部１がユーザに対して回転方向ＲＤへ回転させられることを防止することができる。
【００７２】
加えて、上記第１実施形態は、押圧部分４２が有する凹凸が放射状に形成されている。これによれば、ユーザと押圧部分４２との間に発生する摩擦力のうちの、ユーザと押圧部分４２とが相対回転することを抑制するための摩擦力を、凹凸が格子状に形成されている場合、又は、凹凸がランダムに形成されている場合よりも大きくすることができる。従って、第１の本体部１がユーザに対して回転方向へ回転させられることをより一層確実に防止することができる。
【００７３】
更に、上記第１実施形態において、押圧部分４２は、携帯電話装置１００の側面を構成する材料よりも高い摩擦係数を有する材料により構成されている。これによれば、ユーザと押圧部分４２との間に、押圧部分４２が携帯電話装置１００の側面と同じ材料から構成されている場合よりも大きな摩擦力を発生させることができる。この結果、ユーザと押圧部分４２とが相対回転することを防止することができるので、第１の本体部１がユーザに対して回転方向へ回転させられることを防止することができる。
【００７４】
加えて、上記第１実施形態は、ロック解除用ボタン４が押し込まれた状態において、ロック解除用ボタン４が押し込まれる方向と逆方向にロック解除用ボタン４を付勢するように構成されている。これによれば、ロック解除用ボタン４が押し込まれた状態において、ユーザと押圧部分４２との間に、ロック解除用ボタン４を付勢しない場合よりも大きな摩擦力を発生させることができる。この結果、ユーザと押圧部分４２とが相対回転することをより一層確実に防止することができるので、第１の本体部１がユーザに対して回転方向へ回転させられることをより一層確実に防止することができる。
【００７５】
なお、上記第１実施形態において、内径方向へ向かって押圧部分４２を見た場合に押圧部分４２の凹凸により形成される三角形の、最もＺ軸負方向側に位置する辺の両端の角度を比較した場合、Ｚ軸負方向へ向かって押圧部分４２を見た場合における周方向のうちの時計方向側の角度の方が大きかった。
【００７６】
ところで、上記第１実施形態の変形例において、図４に示したように、Ｚ軸負方向へ向かって押圧部分４２を見た場合における周方向のうちの反時計方向側の角度の方が大きくなるように、押圧部分４２の凹凸を形成してもよい。この場合、摩擦力の大きさが減少することを回避するために、凹凸の数をより多くすることが好適である。
【００７７】
また、上記第１実施形態の変形例において、内径方向へ向かって押圧部分４２を見た場合に押圧部分４２の凹凸により形成される形状が、図５に示したように、四角形となるように、押圧部分４２の凹凸を形成してもよい。
【００７８】
更に、上記第１実施形態の変形例は、図６に示したように、押圧部分４２の凹凸がランダムに配置されるように構成されている。この変形例において、押圧部分４２は、複数の突起部４２ａを含む。各突起部４２ａは、Ｚ軸正方向へ向かうにつれて径が小さくなる円柱である。複数の突起部４２ａは、押圧部分４２の正面視においてランダムに配置されている。突起部４２ａは、シボ加工により形成されていてもよい。なお、複数の突起部４２ａは、互いに隣接する２つの突起部４２ａ間の距離が一定となるように（例えば、格子状に）配置されていてもよい。
【００７９】
また、上記第１実施形態は、押圧部分４２が凹凸を有するように形成されていたが、凹凸を有しないように（滑らかに）形成されていてもよい。
また、上記第１実施形態は、押圧部分４２が、携帯電話装置１００の側面を構成する材料よりも高い摩擦係数を有する材料により構成されていたが、押圧部分４２が携帯電話装置１００の側面と同じ材料により構成されていてもよい。
【００８０】
＜第２実施形態＞
次に、本発明の第２実施形態に係る携帯電話装置について説明する。第２実施形態に係る携帯電話装置は、上記第１実施形態に係る携帯電話装置に対して、ロック解除用ボタンがヒンジ部に配設されていない点において相違している。従って、以下、かかる相違点を中心として説明する。
【００８１】
この第２実施形態に係る携帯電話装置１００は、第１実施形態に係るロック解除用ボタン４に代えて、ロック解除用ボタン５を備える。ロック解除用ボタン５は、Ｚ軸負方向へ向かって携帯電話装置１００を見た図７に示したように、第１の本体部１に配設されている。
【００８２】
ロック解除用ボタン５のＺ軸正方向側の端面は、Ｘ軸正方向へ向かって携帯電話装置１００を見た図８に示したように、Ｙ軸負方向へ向かうにつれて、よりＺ軸正方向側に位置するように形成されている。即ち、ロック解除用ボタン５のＺ軸正方向側の端面は、回転軸（Ｚ軸）に直交する平面に対して傾斜した平面を構成している。このような構成により、ロック解除用ボタン５のＺ軸正方向側の端面（押圧部分、第１の回転抑制部）は、ユーザによりロック解除用ボタン５が押し込まれている状態において、ユーザのうちの回転方向ＲＤと逆方向側の部分と当接する。
【００８３】
これによれば、ユーザがロック解除用ボタン５を押し込んだ場合に、ロック解除用ボタン５の押圧部分は、ユーザのうちの回転方向ＲＤと逆方向側の部分と当接する。これにより、第１の本体部１がユーザに対して回転方向ＲＤへ回転させられることを防止することができる。
【００８４】
更に、第１実施形態と同様に、ロック解除用ボタン５のＺ軸正方向側の端面（押圧部分）は、携帯電話装置１００の側面を構成する材料よりも高い摩擦係数を有する材料により構成されている。また、ロック解除用ボタン５のＺ軸正方向側の端面（押圧部分）には凹凸が形成されている。
【００８５】
これによれば、第２実施形態に係る携帯電話装置１００は、第１実施形態と同様の作用及び効果を奏することができる。
【００８６】
なお、上記第２実施形態は、押圧部分が凹凸を有するように形成されていたが、凹凸を有しないように（滑らかに）形成されていてもよい。
また、上記第２実施形態は、押圧部分が、携帯電話装置１００の側面を構成する材料よりも高い摩擦係数を有する材料により構成されていたが、押圧部分が携帯電話装置１００の側面と同じ材料により構成されていてもよい。
【００８７】
更に、上記第２実施形態の変形例において、ロック解除用ボタン５のＺ軸正方向側の端面は、Ｘ軸正方向へ向かって携帯電話装置１００を見た図９に示したように、Ｙ軸負方向へ向かうにつれて、よりＺ軸負方向側に位置するように形成されている。更に、ロック解除用ボタン５のＹ軸正方向側の端面は、Ｚ軸正方向へ向かうにつれて、よりＹ軸正方向側に位置するように形成されている。
【００８８】
このような構成によっても、ロック解除用ボタン５のＹ軸正方向側の端面は、ユーザによりロック解除用ボタン５が押し込まれている状態において、ユーザのうちの回転方向ＲＤと逆方向側の部分と当接する。
【００８９】
これによれば、ユーザがロック解除用ボタン５を押し込んだ場合に、ロック解除用ボタン５のＹ軸正方向側の端面は、ユーザのうちの回転方向ＲＤと逆方向側の部分と当接する。これにより、第１の本体部１がユーザに対して回転方向ＲＤへ回転させられることを防止することができる。
【００９０】
＜第３実施形態＞
次に、本発明の第３実施形態に係る携帯電話装置について説明する。第３実施形態に係る携帯電話装置は、上記第１実施形態に係る携帯電話装置に対して、携帯電話装置１００の側面のうちのロック解除用ボタン４が配置された面と反対側の面に配置された第２の回転抑制部を備える点において相違している。従って、以下、かかる相違点を中心として説明する。
【００９１】
図１０に示したように、第３実施形態に係る携帯電話装置１００は、第１実施形態に係る携帯電話装置１００の構成に加えて、シート部６を備えている。シート部６は、図１０及び図１１に示したように、Ｚ軸方向と直交する平面内に配置された円盤状の部材である。シート部６の外径は、押圧部分４２の外径と略同一である。
【００９２】
シート部６は、回転軸に沿った方向（即ち、Ｚ軸方向）と直交する面内における位置がロック解除用ボタン４と同一の位置となるように配置されている。シート部６は、ヒンジ部３のＺ軸負方向側の端面に固定されている。なお、ヒンジ部３のＺ軸負方向側の端面は、携帯電話装置１００の側面のうちのロック解除用ボタン４が配置された面と反対側の面を構成している。
【００９３】
シート部６は、押圧部分４２と同様の押圧部分（第２の回転抑制部、回転抑制手段）６１からなる。
【００９４】
押圧部分６１は、携帯電話装置１００の側面を構成する材料よりも高い摩擦係数を有する材料により構成されている。本例では、携帯電話装置１００の側面を構成する材料は、プラスチックである。例えば、プラスチックは、アクリル樹脂、ポリカーボネート、アクリロニトリル・ブタジエン・スチレン、ポリスチレン、及び／又は、これらのポリマーアロイを主成分とする材料である。また、押圧部分６１を構成する材料は、ゴム、又は、シリコンラバーである。なお、携帯電話装置１００の側面を構成する材料は、金属であってもよい。
【００９５】
更に、押圧部分６１のＺ軸負方向側の表面には、凹凸が形成されている。この凹凸は、正面視（Ｚ軸正方向へ向かって押圧部分６１を見た場合）において、シート部６の中心から放射状に形成されている（図１１の（Ａ）を参照）。即ち、押圧部分６１のＺ軸負方向側の表面のうちの最もＺ軸負方向側に位置している部分（凹凸の頂部）、及び、当該表面のうちの最もＺ軸正方向側に位置している部分（凹凸の底部）のそれぞれは、中心から外径方向へ延び、且つ、中心角が一定となるように（周方向にて等間隔に）配置されている。
【００９６】
加えて、押圧部分６１のＺ軸負方向側の表面に形成された凹凸は、図１１の（Ｂ）に示したように、シート部６の中心へ（内径方向へ）向かって押圧部分６１を見た場合において、三角形状を有している。この三角形の内角のうちの、最もＺ軸正方向側に位置する辺の両端の角度を比較した場合、Ｚ軸正方向へ向かって押圧部分６１を見た場合における周方向のうちの反時計方向側の角度の方が大きい。
【００９７】
このような構成により、押圧部分６１は、回転付勢機構によって第２の本体部２が回転させられる回転方向へ第１の本体部１がユーザに対して回転させられることを抑制することができる。
【００９８】
これによれば、第３実施形態に係る携帯電話装置１００は、第１実施形態と同様の作用及び効果を奏することができる。
更に、第３実施形態に係る携帯電話装置１００によれば、第２の回転抑制部としての押圧部分６１は、第１の本体部１がユーザに対して回転方向へ回転させられることを抑制する。即ち、第１の実施形態に係る携帯電話装置１００（シート部６を備えない電子機器）と比較して、第１の本体部１がユーザに対して回転方向へ回転させられることを抑制する力をより大きくすることができる。この結果、第１の本体部１に対する第２の本体部２の回転が終了した後に、第１の本体部１がユーザに対して回転方向へ回転させられることを、より一層確実に防止することができる。
【００９９】
ところで、ユーザがロック解除用ボタン４を押し込む際、携帯電話装置１００の側面のうちのロック解除用ボタン４が配置された面と反対側の面内の部分であって、ロック解除用ボタン４を押し込む方向（回転軸に沿った方向）と直交する面内における位置がロック解除用ボタン４と同一の部分（同位置部分）をユーザが押圧した場合、ユーザがロック解除用ボタン４を押し込むために要する力が最小となる。
【０１００】
従って、第１の本体部１を回転方向へ回転させようとする力が働く時には、ユーザが上記同位置部分と接触している可能性が高い。例えば、ユーザの親指（又は、人差し指）がロック解除用ボタン４を押圧するとともに、ユーザの人差し指（又は、親指）が上記同位置部分を押圧する可能性が高い。
【０１０１】
そこで、上記第３実施形態のように、押圧部分６１（第２の回転抑制部）を、回転軸に沿った方向と直交する面内における位置がロック解除用ボタン４と同一の位置となるように配置することにより、第１の本体部１がユーザに対して回転方向へ回転させられることをより確実に防止することができる。
【０１０２】
なお、図１２に示したように、上記第３実施形態の変形例に係る携帯電話装置１００は、シート部６に代えてシート部７を備える。シート部７は、回転軸に沿った方向（即ち、Ｚ軸方向）と直交する面内における位置がロック解除用ボタン４と異なる位置となるように配置されている。
【０１０３】
ところで、ユーザがロック解除用ボタン４を押し込みやすいように携帯電話装置１００を保持した場合に、携帯電話装置１００の側面のうちのロック解除用ボタン４が配置された面と反対側の面内の部分であって、ロック解除用ボタン４を押し込む方向（回転軸に沿った方向）と直交する面内における位置がロック解除用ボタン４と異なる部分（異位置部分）とユーザとが接触する可能性が比較的高い。
【０１０４】
従って、第１の本体部を回転方向へ回転させようとする力が働く時には、ユーザが上記異位置部分と接触している可能性が高い。例えば、ユーザの親指（又は、人差し指）がロック解除用ボタン４を押圧するとともに、ユーザの人差し指（又は、親指）が上記異位置部分を押圧する可能性が高い。
【０１０５】
そこで、この変形例のように、押圧部分（第２の回転抑制部）を、回転軸に沿った方向と直交する面内における位置がロック解除用ボタン４と異なる位置となるように配置することにより、第１の本体部１がユーザに対して回転方向へ回転させられることをより確実に防止することができる。
【０１０６】
また、第３の実施形態の他の変形例において、ロック解除用ボタン４は、押圧部分４２を備えていなくてもよい。この変形例によっても、押圧部分６１が、第１の本体部１がユーザに対して回転方向へ回転させられることを抑制する。従って、第１の本体部１に対する第２の本体部２の回転が終了した後に、第１の本体部１がユーザに対して回転方向へ回転させられることを防止することができる。
【０１０７】
＜第４実施形態＞
次に、本発明の第４実施形態に係る携帯電話装置について説明する。第４実施形態に係る携帯電話装置は、上記第２実施形態に係る携帯電話装置に対して、携帯電話装置１００の側面のうちのロック解除用ボタン５が配置された面と反対側の面に配置された第２の回転抑制部を備える点において相違している。従って、以下、かかる相違点を中心として説明する。
【０１０８】
図１３及び図１４に示したように、この第４実施形態に係る携帯電話装置１００は、第２実施形態に係る携帯電話装置１００の構成に加えて、突起部８を備える。突起部８は、Ｚ軸正方向へ向かって携帯電話装置１００を見た図１３に示したように、第１の本体部１に配設されている。
【０１０９】
突起部８は、回転軸に沿った方向（即ち、Ｚ軸方向）と直交する面内における位置がロック解除用ボタン５と同一の位置となるように配置されている。突起部８は、第１の本体部１のＺ軸負方向側の端面に固定されている。
【０１１０】
突起部８のＺ軸負方向側の端面は、Ｘ軸正方向へ向かって携帯電話装置１００を見た図１４に示したように、Ｙ軸負方向へ向かうにつれて、よりＺ軸負方向側に位置するように形成されている。即ち、突起部８のＺ軸負方向側の端面は、回転軸（Ｚ軸）に直交する平面に対して傾斜した平面を構成している。このような構成により、突起部８のＺ軸負方向側の端面（押圧部分、第２の回転抑制部）は、ユーザによりロック解除用ボタン５が押し込まれている状態において、ユーザのうちの回転方向ＲＤと逆方向側の部分と当接する。
【０１１１】
これによれば、ユーザがロック解除用ボタン５を押し込んだ場合に、突起部８の押圧部分は、ユーザのうちの回転方向ＲＤと逆方向側の部分と当接する。これにより、第１の本体部１がユーザに対して回転方向ＲＤへ回転させられることを防止することができる。
【０１１２】
更に、ロック解除用ボタン５と同様に、突起部８のＺ軸負方向側の端面（押圧部分）は、携帯電話装置１００の側面を構成する材料よりも高い摩擦係数を有する材料により構成されている。また、突起部８のＺ軸負方向側の端面（押圧部分）には凹凸が形成されている。
【０１１３】
これによれば、第４実施形態に係る携帯電話装置１００は、第２実施形態と同様の作用及び効果を奏することができる。
更に、第４実施形態に係る携帯電話装置１００によれば、第２の回転抑制部としての押圧部分は、第１の本体部１がユーザに対して回転方向へ回転させられることを抑制する。即ち、第２の実施形態に係る携帯電話装置１００（突起部８を備えない電子機器）と比較して、第１の本体部１がユーザに対して回転方向へ回転させられることを抑制する力をより大きくすることができる。この結果、第１の本体部１に対する第２の本体部２の回転が終了した後に、第１の本体部１がユーザに対して回転方向へ回転させられることを、より一層確実に防止することができる。
【０１１４】
加えて、上記第４実施形態に係る携帯電話装置１００においては、回転軸に沿った方向と直交する面内における位置がロック解除用ボタン５と同一の位置となるように第２の回転抑制部としての押圧部分が配置されている。これにより、第１の本体部１がユーザに対して回転方向へ回転させられることをより確実に防止することができる。
【０１１５】
なお、上記第４実施形態は、回転軸に沿った方向（即ち、Ｚ軸方向）と直交する面内における位置がロック解除用ボタン５と異なる位置となるように第２の回転抑制部としての押圧部分が配置されていてもよい。
【０１１６】
また、上記第４実施形態は、突起部８の押圧部分が凹凸を有するように形成されていたが、凹凸を有しないように（滑らかに）形成されていてもよい。
また、上記第４実施形態は、突起部８の押圧部分が、携帯電話装置１００の側面を構成する材料よりも高い摩擦係数を有する材料により構成されていたが、押圧部分が携帯電話装置１００の側面と同じ材料により構成されていてもよい。
【０１１７】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【０１１８】
例えば、上記各実施形態において、携帯電話装置１００は、ロック解除用ボタンが押し込まれることにより、携帯電話装置１００が折り畳まれた状態から展開された状態へ状態が変化するように構成されていたが、携帯電話装置１００が展開された状態から折り畳まれた状態へ状態が変化するように構成されていてもよい。
【０１１９】
また、携帯電話装置１００は、携帯電話装置１００が折り畳まれた状態においてロック解除用ボタンが押し込まれることにより、携帯電話装置１００が折り畳まれた状態から展開された状態へ状態が変化するとともに、携帯電話装置１００が展開された状態においてロック解除用ボタンが押し込まれることにより、携帯電話装置１００が展開された状態から折り畳まれた状態へ状態が変化するように構成されていてもよい。
【０１２０】
なお、上記各実施形態において、電子機器は、携帯電話装置１００であったが、ＰＤＡ（Ｐｅｒｓｏｎａｌ  Ｄａｔａ  Ａｓｓｉｓｔａｎｃｅ）、スマートフォン、ＰＨＳ（Ｐｅｒｓｏｎａｌ  Ｈａｎｄｙｐｈｏｎｅ  Ｓｙｓｔｅｍ）、ゲーム機、カーナビゲーション装置、又は、ラップトップ型コンピュータ等であってもよい。
【産業上の利用可能性】
【０１２１】
本発明は、折り畳み式の携帯電話装置等に適用可能である。
【符号の説明】
【０１２２】
１      第１の本体部
２      第２の本体部
３      ヒンジ部
４      ロック解除用ボタン
５      ロック解除用ボタン
６      シート部
７      シート部
８      突起部
３１    ボタン用孔
３２    溝
４１    本体部分
４１ａ  突起部
４２    押圧部分
４２ａ  突起部
６１    押圧部分
１００  携帯電話装置
【図１】
2010074822.tif 000003
【図２】
2010074822.tif 000004
【図３】
2010074822.tif 000005
【図４】
2010074822.tif 000006
【図５】
2010074822.tif 000007
【図６】
2010074822.tif 000008
【図７】
2010074822.tif 000009
【図８】
2010074822.tif 000010
【図９】
2010074822.tif 000011
【図１０】
2010074822.tif 000012
【図１１】
2010074822.tif 000013
【図１２】
2010074822.tif 000014
【図１３】
2010074822.tif 000015
【図１４】
2010074822.tif 000016